(57)【要約】  反射防止部の不良による見栄えの低下を抑制することができる計器を提供する。  計器は、計測量を表示する表示部１と、表示部１の前面側に位置し、表示部１を透かして視認させる透光板２と、透光板２の端部２ａを挟持する挟持部８と、透光板２の表示部１側の面に設けられ、可視光の波長以下のピッチで配列された複数の錐状突起を有する反射防止部３と、を備える。反射防止部３は、透光板２の端部２ａを避けて設けられ、且つ、挟持部８と接触しないように設けられている。
2017188007.tif 000002
【特許請求の範囲】
【請求項１】
計測量を表示する表示部と、
前記表示部の前面側に位置し、前記表示部を透かして視認させる透光板と、
前記透光板の端部を挟持する挟持部と、
前記透光板の前記表示部側の面に設けられ、可視光の波長以下のピッチで配列された複数の錐状突起を有する反射防止部と、を備え、
前記反射防止部は、前記端部を避けて設けられ、且つ、前記挟持部と接触しないように設けられている、
ことを特徴とする計器。
【請求項２】
前記表示部と前記透光板との間に位置して前記表示部の外周部を囲み、前記表示部の表示領域を規定する規定部材を備え、
前記規定部材は、前記表示部に向かって斜降する斜降部を有し、
前記斜降部の先端は、前記反射防止部の周端よりも前記表示部の中心側に位置する、
ことを特徴とする請求項１に記載の計器。
【請求項３】
前記規定部材は、
前記透光板の前記端部を支持する支持部と、
前記支持部から折り曲げられるように形成されて、前記支持部と前記斜降部とを繋ぐ折曲部と、を有し、
前記計器の厚み方向から見て、前記折曲部と前記斜降部の境界が、前記反射防止部の周端と合わせられている、
ことを特徴とする請求項２に記載の計器。
【請求項４】
前記挟持部は、少なくとも前記端部の前面を覆う弾性部材と、前記規定部材とから構成される、
ことを特徴とする請求項２又は３に記載の計器。
【請求項５】
前記表示部を収容するケースと、
前記ケースの開口端と前記挟持部とを挟んで固定するベゼルと、を備え、
前記計器の厚み方向から見て、前記ベゼルの前面側の端は、前記反射防止部の周端と一致する、又は、前記反射防止部の周端よりも前記表示部の中心側に位置する、
ことを特徴とする請求項１〜４のいずれか１項に記載の計器。
【発明の詳細な説明】
【技術分野】
【０００１】
本発明は、計器に関し、詳しくは、微細な錐状突起を有する反射防止部を備える計器に関する。
【背景技術】
【０００２】
微細な錐状突起を有する反射防止部を備えた計器として、特許文献１に開示されたものがある。特許文献１に記載の計器は、カバープレートの背面に、可視光の波長以下のピッチで配置された複数の錐状凸部を有するフィルム（いわゆるモスアイ（蛾の眼）構造を利用したフィルム）を設けることにより、外光反射の低減を試みたものである。
【先行技術文献】
【特許文献】
【０００３】
【特許文献１】特開２０１５−７８９２４号公報
【発明の概要】
【発明が解決しようとする課題】
【０００４】
特許文献１に記載の計器は、カバープレート背面の全面に渡って前記のフィルム（反射防止部）が設けられているため、反射防止部が外装部品と接触して、剥がれたり、反射防止部に気泡が入り込んでしまったりして、見栄えが低下する虞がある。【０００５】
本発明は、上記実情に鑑みてなされたものであり、反射防止部の不良による見栄えの低下を抑制することができる計器を提供することを目的とする。
【課題を解決するための手段】
【０００６】
上記目的を達成するため、本発明に係る計器は、
計測量を表示する表示部と、
前記表示部の前面側に位置し、前記表示部を透かして視認させる透光板と、
前記透光板の端部を挟持する挟持部と、
前記透光板の前記表示部側の面に設けられ、可視光の波長以下のピッチで配列された複数の錐状突起を有する反射防止部と、を備え、
前記反射防止部は、前記端部を避けて設けられ、且つ、前記挟持部と接触しないように設けられている、
ことを特徴とする。
【発明の効果】
【０００７】
本発明によれば、反射防止部の不良による見栄えの低下を抑制することができる。
【図面の簡単な説明】
【０００８】
【図１】本発明の第１実施形態に係る計器を示す図であり、（ａ）は平面図、（ｂ）は図１（ａ）に示すＡ−Ａ線概略断面図である。
【図２】図１（ｂ）に示すＢ部の拡大図である。
【図３】図１（ｂ）に示すＣ部の拡大図である。
【図４】本発明の第２実施形態に係る計器を説明するための図である。
【発明を実施するための形態】
【０００９】
本発明の一実施形態について図面を参照して説明する。
【００１０】
（第１実施形態）
第１実施形態に係る計器１００は、図１（ａ）（ｂ）に示すように、指針１０によって計測量を表示する指針式計器として構成されている。計器１００は、例えば車両に搭載され、車速、エンジン回転数、残燃料などの車両に関する計測量をユーザ（主に運転者）に表示する。
【００１１】
以下では、構成の理解を容易にするために、計器１００を断面で表した図１（ｂ）における上側を「前面側」、下側を「背面側」として、計器１００を構成する各部を適宜、説明する。なお、見易さを考慮し、図１（ｂ）、図３（図４も同様）において断面を示すハッチングを適宜省略した。
【００１２】
計器１００は、図１（ａ）（ｂ）〜図３に示すように、表示部１と、透光板２と、反射防止部３と、ケース４と、見返し部材５と、パッキン６と、ベゼル７と、を備える。
【００１３】
表示部１は、前述した車速などの計測量を表示するものであり、指針１０と、文字板１１と、回路基板１２と、中ケース１３と、を備える。
【００１４】
指針１０は、文字板１１の前面側で回転可能となっており、文字板１１に形成された指標部１１ａ（図１（ａ）参照）を指示する。指標部１１ａは、目盛、数値などから構成される。表示部１は、指針１０の指示箇所と指標部１１ａとを対比判読させることによって、ユーザに計測量を報知する。なお、指針１０は、少なくとも一部が導光部材により形成され、光源Ｌ１、Ｌ２からの光を受けて発光可能となっている。また、指標部１１ａは、透光性を有して形成され、文字板用光源Ｌ３からの光を受けて発光可能となっている。
【００１５】
回路基板１２は、プリント回路板からなり、指針１０を回転駆動するモータ１４（例えばステッピングモータ）や、指針１０を照明する光源Ｌ１、Ｌ２や、文字板１１を照明する文字板用光源Ｌ３などが実装されている。モータ１４は、その回転軸１４ａに取り付けられた指針１０を、計測量に応じて回転させる。
【００１６】
回路基板１２に実装された部品は、図示しない制御部の制御の下で動作する。制御部は、マイクロコンピュータ等から構成され、ＥＣＵ（Electronic Control Unit）や、車速センサ等の各種センサから、各種の計測量を示すデータを取得する。このように取得したデータに基づいて、制御部は、モータ１４を駆動して、車速などの計測量に応じた回転角だけ指針１０を回転させる。また、制御部は、光源Ｌ１、Ｌ２や文字板用光源Ｌ３の点灯制御を行う。
【００１７】
中ケース１３は、文字板１１と回路基板１２との間に位置し、文字板１１を支持する。中ケース１３は、所定の樹脂から例えば白色に形成され、文字板用光源Ｌ３が発した光を効率良く文字板１１へと導く照明室１３ａを有している。照明室１３ａよりも回転軸１４ａ側には、光源Ｌ１、Ｌ２が発した光を指針１０へと導く導光部材１５が設けられている。
【００１８】
透光板２は、ＰＭＭＡ（ポリメタクリル酸メチル樹脂）などの透光性の樹脂からなり、表示部１の前面側に位置する。透光板２は、図１（ａ）に示すように、平面視で円状に形成されている。
【００１９】
反射防止部３は、図２に拡大して示すように、フィルム状の基材３０に、モスアイ構造の凹凸層３１がコーティングされることで構成されるフィルム（シート）である。反射防止部３は、高透明性を有する粘着剤Ｓによって透光板２の背面に密着固定されている。なお、反射防止部３は、透光板２を射出成形する際に、透光板２に溶融固着されてもよい。
【００２０】
反射防止部３は、透光板２の端部２ａ（図３参照）を避けるように、透光板２よりも一回り小さい円状に形成されている。反射防止部３の形成領域については後に詳述する。
【００２１】
基材３０は、トリアセチルセルロース（ＴＡＣ）、ポリエチレンテレフタラート（ＰＥＴ）、ポリカーボネート（ＰＣ）等の樹脂から形成されている。基材３０としては、例えば厚さ５〜３００μｍ程度で、光学的特性に優れた材料が選定される。
【００２２】
凹凸層３１は、モスアイ構造で形成されるものであり、複数の錐状突起３１ａが、可視光の波長以下の配列ピッチＰで二次元的（基材３０の背面に沿って）に配列されることで構成されている。
【００２３】
錐状突起３１ａの配列ピッチＰは、可視光の波長以下であれば特に限定されるものではないが、反射率の波長依存性に影響を及ぼすため、目的に応じて適切な値となるように形成されている。配列ピッチＰは、例えば、１００ｎｍ程度に設定されている。なお、配列ピッチＰは、数十ｎｍ〜数百ｎｍの範囲で適宜変更が可能である。錐状突起３１ａの高さＨも、反射率の波長依存性に影響を及ぼすため、目的に応じて適切な値となるように形成されている。例えば、高さＨは、数１００ｎｍ程度である。
【００２４】
なお、錐状突起３１ａにおける「錐状」とは、完全な円錐や角錐だけを意味せず、概ね錐体状であればよく、先細りになっている形状（断面楔状）であればよい。また、錐状突起３１ａの先端部は、図２に示すように曲面状であってもよく、尖っていなくともよい。また、錐状突起３１ａの先端部を平坦にすることもできる。錐状突起３１ａは、モスアイ構造を実現するために少なくとも先細りに形成される必要があるが、製造上の制約や目的に応じてその詳細構造は適宜変更可能である。
【００２５】
反射防止部３は、基材３０上に、光硬化性（ＵＶ（Ultraviolet）、ＥＢ（Electron Beam）硬化性など）を有する樹脂層を形成後、スタンパでモスアイ形状を転写し、光照射により当該樹脂層を硬化させることで凹凸層３１を形成して、製造される。なお、凹凸層３１は、後述するように親水性を有して形成されることが好ましい。
【００２６】
このように、透光板２に、モスアイ構造を利用した反射防止部３を設けることにより、計器１００外部から入射し、透光板２から、透光板２と表示部１との間の空気層へと透過する光について、屈折率を連続的に変化させることができる（屈折率に不連続な界面が生じることを避けることができる）。このため、入射光が透光板２の背面で界面反射することが抑制され、外景や太陽光、照明の映り込みが少なくなり、表示部１の視認性が向上する。また、このように反射防止部３が設けられた透光板２においては、表示部１から出射された光（指針１０の照明光や、文字板１１の照明光）の透過率が高まるため、光源Ｌ１、Ｌ２や文字板用光源Ｌ３の発光輝度を必要以上に大きくする必要がなく、計器１００の消費電力を抑えることができる。
【００２７】
なお、透光板２の前面に、ＡＲ（Anti-Reflective）コートを施し、さらに反射低減効果を得るようにしてもよい。ＡＲコートは、例えば、フッ化マグネシウムなどを真空蒸着させる手法で形成される。
【００２８】
ケース４は、樹脂や金属などから有底筒状に形成され、表示部１を収容する。図３に示すように、ケース４の開口端には、ケース４の外径方向に突出するフランジ４ａが形成されている。
【００２９】
見返し部材５は、本発明の規定部材の一例であり、所定の樹脂などから例えば黒色に形成され、計器１００内部の不要な部分を覆い隠すものである。見返し部材５によって、図３に示すように、表示部１の表示領域Ｄ１が規定される。見返し部材５は、表示部１と透光板２との間に位置し、表示部１の外周部を囲むように設けられている。
【００３０】
見返し部材５は、図３に示すように、透光板２の端部２ａを支持する支持部５０と、表示部１に向かって斜降する斜降部５１と、支持部５０から折り曲げられるように形成されて、支持部５０と斜降部５１とを繋ぐ折曲部５２と、を有する。
【００３１】
支持部５０は、ケース４のフランジ４ａに支持される円筒状の部分である。支持部５０の上端には、透光板２の端部２ａに合わせて段差５０ａが形成されており、この段差５０ａに透光板２が載置される。
【００３２】
斜降部５１は、円錐台状の筒形をなしている。斜降部５１は、支持部５０の上端部から折曲部５２を経て、表示部１の文字板１１に向かって斜降する。斜降部５１の先端は、文字板１１とは若干の間隔を空けて位置して当接しない。
【００３３】
図３に示すように、斜降部５１は、表示領域Ｄ１と隣り合う領域Ｄ２に位置する。また、折曲部５２は、領域Ｄ２と隣り合う、領域Ｄ３に位置する。また、後述の挟持部８に挟持される透光板２の端部２ａは、領域Ｄ３と隣り合う、領域Ｄ４内に位置する。まとめると、これらの領域は、表示部１の中心から外径方向に向かって、表示領域Ｄ１、領域Ｄ２、領域Ｄ３、領域Ｄ４の順で位置している。
【００３４】
パッキン６は、円状の透光板２の端部２ａに沿うように円環状に形成された弾性部材（エラストマーなど）からなる。パッキン６は、図３に示すように、断面略Ｌ字状をなし、透光板２の端部２ａの前面と、側面の一部とを覆う。
【００３５】
この実施形態では、パッキン６と見返し部材５とが、透光板２の端部２ａを挟持する挟持部８を構成する。挟持部８は、後述するように、ベゼル７によって外周側からかしめられる。
【００３６】
なお、挟持部８や反射防止部３について、主に、図３を参照して説明しているが、挟持部８や反射防止部３は、表示部１の中心軸線（回転軸１４ａに沿う軸線）周りに概ね回転対称に形成されているため、挟持部８や反射防止部３を、当該軸線を通る任意の断面で切った場合の形状は、図３に示す形状と概ね同様となる。
【００３７】
パッキン６のうち、透光板２の端部２ａの前面を覆う箇所には、当該端部２ａに向かって突起するリブ６ａが形成されている。ベゼル７によって挟持部８がかしめられると、主に、リブ６ａと支持部５０（段差５０ａ）によって、透光板２は挟持される。パッキン６の前面側には、リブ６ａと対応するように溝６ｂが形成されている。この溝６ｂは、挟持部８がかしめられた際に、パッキン６から透光板２に与えられる圧力などを適度に保つために設けられている。
【００３８】
パッキン６のうち、透光板２の端部２ａの側面を覆う箇所は、見返し部材５の支持部５０の天面に向かって垂れ下がる垂下部６ｃとなっている。なお、挟持部８がかしめられると、支持部５０と垂下部６ｃとは密着する。
【００３９】
ベゼル７は、例えば金属からなる枠体であり、図１に示すように、平面視で円環状に形成されている。ベゼル７は、ケース４の開口端（フランジ４ａ）と挟持部８（見返し部材５及びパッキン６）とを挟むようにして、かしめて固定する（かしめ固定）。これにより、挟持部８に透光板２を挟み込む力が与えられると共に、透光板２を挟持する挟持部８がケース４に固定される。
【００４０】
（反射防止部の形成領域について）
ここからは、図３を参照して、反射防止部３の形成領域について説明する。
この実施形態の計器１００では、反射防止部３は、挟持部８に挟持される透光板２の端部２ａを避けて設けられ、且つ、挟持部８と接触しないように設けられている。具体的には、反射防止部３の端面と透光板２の端部２ａとの間には、適度なクリアランス（領域Ｄ３の幅に相当）が設けられている。このようにしたので、反射防止部３が熱膨張などにより外装部品と接触してしまい、剥がれてしまったり、反射防止部３に気泡が入り込んでしまったりすることを防止できる。
【００４１】
また、斜降部５１の先端（表示領域Ｄ１と領域Ｄ２の境界）は、反射防止部３の周端よりも表示部１の中心側に位置する。この位置関係によれば、反射防止部３の周端は、見返し部材５と重なることになる。そのため、反射防止部３の端面が透光板２を透かしてライン状に視認されることを抑制することができ、見栄えの低下を抑制することができる。
【００４２】
また、計器１００の厚み方向（図３の上下方向）から見て、折曲部５２と斜降部５１の境界（領域Ｄ３と領域Ｄ２の境界）が、反射防止部３の周端と合わせられている。この位置関係によれば、折曲部５２と斜降部５１の角が、反射防止部３の周端の真下に位置することになるため、反射防止部３の端面が透光板２を透かしてライン状に視認されることを、より良好に抑制することができる。
【００４３】
また、計器１００の厚み方向から見て、ベゼル７の前面側の端は、反射防止部３の周端よりも表示部１の中心側に位置する。つまり、ベゼル７の前面側の端（先端）は、領域Ｄ３と領域Ｄ２の境界よりも、領域Ｄ２側に位置する。このようにすれば、表示部１を多少斜めから見た際においても、反射防止部３の端面が目立たなくなるため、見栄えの低下を、より良好に抑制することができる。なお、ベゼル７の前面側の端を、反射防止部３の周端と丁度一致させるようにしてもよい。
【００４４】
なお、凹凸層３１は、モスアイ構造による反射防止性能に併せて、防曇性能を確保すべく、親水性を有して形成されることが好ましい。そうすれば、親水性樹脂から構成されることによる濡れ性と、モスアイ構造との相乗効果によって、計器１００内に存在する水分の凝集によってできた水が、透光板２の背面に形成されても光を乱反射させる粒径（数μｍ〜数十μｍ）の微細な水滴とならず、且つ、接触角が鋭角な状態で保持されることを防ぐことができ、曇りとして白く視認されることを防止することができるためである。結果として防曇剤の塗布が不要となる程度の防塵効果を得ることもできる。このような防塵性能も併せて実現するには、例えば、凹凸層３１を、ＵＶ硬化性樹脂中に親水性ポリマー（タンパク質、ポリエステルアミドなど）を含有させた材料、ＵＶ照射時に親水性を示す光触媒（酸化チタン）を用いた材料などから構成すればよい。
【００４５】
ここからは、主に、透光板２を挟持する挟持部の構成が第１実施形態と異なる第２実施形態に係る計器２００を、図４を参照して説明する。図４は、計器２００における、図１（ｂ）に示すＣ部に相当する箇所の拡大図である。なお、以下では、構成の理解を容易にするために、主に、第２実施形態の特徴に関連する各部については新たな符号を付し、その他の各部については第１実施形態と同じ符号を付した上で、第１実施形態と異なる点を中心に説明する。
【００４６】
（第２実施形態）
第２実施形態に係る計器２００では、パッキン２０６と見返し部材２０５とが、透光板２の端部２ａを挟持する挟持部２０８を構成する。挟持部２０８は、ベゼル７によって外周側からかしめられる。
【００４７】
なお、第２実施形態では、見返し部材２０５は、透光板２に当接せず、パッキン２０６を介して透光板２の端部２ａを挟持する。本明細書では、このように見返し部材２０５がパッキン２０６と協働して間接的に透光板２を挟持する構成も、挟持部２０８が透光板２を挟持するという表現に含まれるものとする。
【００４８】
パッキン２０６は、円状の透光板２の端部２ａに沿うように円環状に形成された弾性部材（エラストマーなど）からなる。パッキン２０６は、第１実施形態とは異なり、断面略コの字状をなし、透光板２の端部２ａを挟み込むように覆う。なお、第２実施形態に係るパッキン２０６には、第１実施形態のようなリブ６ａや溝６ｂは設けられていない（ただし、必要に応じて設けてもよい）。
【００４９】
見返し部材２０５は、本発明の規定部材の一例であり、表示部１の表示領域Ｄ１を規定する。見返し部材２０５は、透光板２の端部２ａを覆ったパッキン２０６を支持する支持部２５０と、表示部１に向かって斜降する斜降部２５１と、支持部２５０から折り曲げられるように形成されて、支持部２５０と斜降部２５１とを繋ぐ折曲部２５２と、を有する。
【００５０】
支持部２５０は、ケース４のフランジ４ａに支持される円盤状の部分である。斜降部２５１は、第１実施形態と同様に、円錐台状の筒形をなしている。折曲部２５２は、曲面を有してＲ形状をなしており、第１実施形態よりも滑らかに、支持部２５０と斜降部２５１とを繋ぐ。
【００５１】
斜降部２５１は、表示領域Ｄ１と隣り合う領域Ｄ２に位置する。また、折曲部２５２は、領域Ｄ２と隣り合う、領域Ｄ３に位置する。また、挟持部２０８に挟持される透光板２の端部２ａは、領域Ｄ３と隣り合う、領域Ｄ４内に位置する。
【００５２】
ベゼル７は、ケース４の開口端（フランジ４ａ）と挟持部２０８（見返し部材２０５及びパッキン２０６）とを挟むようにして、かしめて固定する。これにより、挟持部２０８に透光板２を挟み込む力が与えられると共に、透光板２を挟持する挟持部２０８がケース４に固定される。
【００５３】
（反射防止部の形成領域について）
第２実施形態の計器２００においても、反射防止部３は、挟持部２０８に挟持される透光板２の端部２ａを避けて設けられ、且つ、挟持部２０８と接触しないように設けられている。具体的には、反射防止部３の端面と透光板２の端部２ａとの間には、適度なクリアランス（領域Ｄ３の幅に相当）が設けられている。このため、第１実施形態と同様に、反射防止部３が剥がれてしまったり、反射防止部３に気泡が入り込んでしまったりすることを防止できる。
【００５４】
また、斜降部２５１の先端（表示領域Ｄ１と領域Ｄ２の境界）は、反射防止部３の周端よりも表示部１の中心側に位置する。このため、第１実施形態と同様に、反射防止部３の端面が透光板２を透かしてライン状に視認されることを抑制することができ、見栄えの低下を抑制することができる。
【００５５】
また、計器２００の厚み方向から見て、折曲部２５２と斜降部２５１の境界（領域Ｄ３と領域Ｄ２の境界）が、反射防止部３の周端と合わせられている。当該境界は、折曲部２５２と斜降部２５１の前面において、Ｒ形状の折曲部２５２から、図４に示すように断面視で概ね直線状となる斜降部２５１に差し掛かる箇所に相当する。この位置関係によっても、折曲部５２と斜降部５１との境界が、反射防止部３の周端の真下に位置することになるため、反射防止部３の端面が透光板２を透かしてライン状に視認されることを、より良好に抑制することができる。
【００５６】
第２実施形態においては、計器２００の厚み方向から見て、ベゼル７の前面側の端は、反射防止部３の周端よりも外周側に位置している。つまり、ベゼル７によっては積極的に反射防止部３の端面を覆い隠さない構成である。第１実施形態と異なり、このようにしてもよい。
【００５７】
なお、第２実施形態の構成においても、ベゼル７の前面側の端を、反射防止部３の周端よりも表示部１の中心側に位置させる、又は、反射防止部３の周端と丁度一致させることで、反射防止部３の端面をより目立たなくさせ、見栄えの低下をより良好に抑制してもよい。
【００５８】
なお、本発明は以上の実施形態及び図面によって限定されるものではない。本発明の要旨を変更しない範囲で、適宜、変更（構成要素の削除も含む）を加えることが可能である。
【００５９】
（変形例）
以上では、表示部１が指針式計器で構成される例を説明したが、透光板２を透かして視認される表示部１は、計測量を示す画像を表示する画像表示装置であってもよい。画像表示装置は、液晶ディスプレイ（ＬＣＤ：Liquid Crystal Display）や、有機ＥＬ（Electro-Luminescence）ディスプレイなどであればよい。なお、画像表示装置による計測量の表示は、計測値を数字や文字で具体的に表示する態様だけでなく、バーグラフや指針画像を表示することで、ユーザに計測量を対比判読させる態様を含む。
【００６０】
また、透光板２や反射防止部３の形状は、円状に限られない。楕円形、矩形、多角形状などであってもよい。
【００６１】
計器１００，２００が搭載される乗り物は、車両（自動四輪車、自動二輪車などを含む）に限定されるものではない。農耕機械、船舶、航空機、スノーモービル、ジェットスキーなどの他の乗り物に搭載されてもよい。また、計器１００，２００は、例えば屋外設置の気圧計などであってもよく、乗り物に搭載されてなくともよい。
【００６２】
以上の説明では、本発明の理解を容易にするために、公知の技術的事項の説明を適宜省略した。
【産業上の利用可能性】
【００６３】
本発明は、計器に適用でき、詳しくは、微細な錐状突起を有する反射防止部を備える計器に好適である。
【符号の説明】
【００６４】
１００，２００…計器
１…表示部
２…透光板、２ａ…端部
３…反射防止部、３０…基材、３１…凹凸層、３１ａ…錐状突起
４…ケース、４ａ…フランジ
５，２０５…見返し部材（規定部材の一例）
５０，２５０…支持部
５１，２５１…斜降部
５２，２５２…折曲部
６，２０６…パッキン
７…ベゼル
８，２０８…挟持部
【図１】
2017188007.tif 000003
【図２】
2017188007.tif 000004
【図３】
2017188007.tif 000005
【図４】
2017188007.tif 000006
【国際調査報告】
2017188007.tif 000007
2017188007.tif 000008